(57)【特許請求の範囲】
【請求項１】
軸孔３を備えた不動の薄い金属プレート２と、前記金属プレート２の軸孔３に回転自在に挿入されて前記金属プレート２の裏面側に突出する後方軸部６を備えた回転シャフト１と、前記回転シャフト１に設けられ前記後方軸部６を前記軸孔３に挿入すると前記金属プレート２の表面に当接するフランジ４と、前記金属プレート２に対して不動ではなく前記後方軸部６の後端に前記後方軸部６に対して軸方向不動となるように堅牢に取付けられる抑え部材７と、前記後方軸部６の外周に軸装され前記抑え部材７の表面と前記金属プレート２の裏面との間で圧縮配置される弾性支持体１０とからなり、前記弾性支持体１０には外側にスカート状に広がって前記金属プレート２の前記裏面に弾力的に当接する環状鍔部１１を設け、前記抑え部材７と前記環状鍔部１１との間には前記環状鍔部１１を前記金属プレート２の前記裏面に弾着させるバネ１２を設けた回転シャフトの取付構造。
【請求項２】
軸孔３を備えた不動の薄い金属プレート２と、前記金属プレート２の軸孔３に回転自在に挿入されて前記金属プレート２の裏面側に突出する後方軸部６を備えた回転シャフト１と、前記回転シャフト１に設けられ前記後方軸部６を前記軸孔３に挿入すると前記金属プレート２の表面に当接するフランジ４と、前記金属プレート２に対して不動ではなく前記後方軸部６の後端に前記後方軸部６に対して軸方向不動となるように堅牢に取付けられる抑え部材７と、前記後方軸部６の外周に軸装され前記抑え部材７の表面と前記金属プレート２の裏面との間で圧縮配置される弾性支持体１０とからなり、前記弾性支持体１０には外側にスカート状に広がって前記金属プレート２の前記裏面に弾力的に当接する環状鍔部１１および外側にスカート状に広がって前記抑え部材７の前記表面に弾力的に当接する別の環状鍔部１１’を設けた回転シャフトの取付構造。
【請求項３】
請求項１又は請求項２において、前記抑え部材７は、前記回転シャフト１に取付けられるレバー又はハンドルからなる操作部材とした回転シャフトの取付構造。
【発明の詳細な説明】
【０００１】
【産業上の利用分野】
本発明は、回転シャフトの取付装置に関するものである。
【０００２】
【従来技術】
図１は、回転シャフトＡと該シャフトＡが回転自在に取付けられる固定側金属プレートＢとの関係を示す公知例図であり、図中、Ｃは金属プレートＢの表側に当接するシャフトＡのフランジ、ＤはシャフトＡの後端のカシメ部、Ｅは金属プレートＢの裏面とカシメ部Ｄとの間のワッシャー、ＦはシャフトＡに取付けられる回転ハンドルである。なお、カシメ部Ｄの代わりにシャフトＡの後端にボルトを取付けるとき、また、ワッシャーＥを省くときもある。
【０００３】
【発明が解決しようとする課題】
前記公知のものは、シャフトＡが金属プレートＢのみに支持されている片持ち構造であるから、金属プレートＢが比較的薄いものであるとき、また、シャフトＡが比較的長いものであるとき、シャフトＡは半径方向にガタ付きやすい構成であった。
シャフトＡの後端近傍に、金属プレートＢに対して不動の関係となる別の固定部材があるときは、シャフトＡを金属プレートＢと不動固定部材の２点による両持ち構造にしてシャフトＡのガタを無くすことも可能であるが、ガタ付き防止のためだけに不動の固定部材を準備することは、製造コストや製品重量を考慮すると避けることが望ましくなる。
【０００４】
【課題を解決する手段】
よって、本発明は、軸孔３を備えた不動の薄い金属プレート２と、前記金属プレート２の軸孔３に回転自在に挿入されて前記金属プレート２の裏面側に突出する後方軸部６を備えた回転シャフト１と、前記回転シャフト１に設けられ前記後方軸部６を前記軸孔３に挿入すると前記金属プレート２の表面に当接するフランジ４と、前記金属プレート２に対して不動ではなく前記後方軸部６の後端に前記後方軸部６に対して軸方向不動となるように堅牢に取付けられる抑え部材７と、前記後方軸部６の外周に軸装され前記抑え部材７の表面と前記金属プレート２の裏面との間で圧縮配置される弾性支持体１０とからなり、前記弾性支持体１０には外側にスカート状に広がって前記金属プレート２の前記裏面に弾力的に当接する環状鍔部１１を設け、前記抑え部材７と前記環状鍔部１１との間には前記環状鍔部１１を前記金属プレート２の前記裏面に弾着させるバネ１２を設けた回転シャフトの取付構造としたものである。
また、本発明は、軸孔３を備えた不動の薄い金属プレート２と、前記金属プレート２の軸孔３に回転自在に挿入されて前記金属プレート２の裏面側に突出する後方軸部６を備えた回転シャフト１と、前記回転シャフト１に設けられ前記後方軸部６を前記軸孔３に挿入すると前記金属プレート２の表面に当接するフランジ４と、前記金属プレート２に対して不動ではなく前記後方軸部６の後端に前記後方軸部６に対して軸方向不動となるように堅牢に取付けられる抑え部材７と、前記後方軸部６の外周に軸装され前記抑え部材７の表面と前記金属プレート２の裏面との間で圧縮配置される弾性支持体１０とからなり、前記弾性支持体１０には外側にスカート状に広がって前記金属プレート２の前記裏面に弾力的に当接する環状鍔部１１および外側にスカート状に広がって前記抑え部材７の前記表面に弾力的に当接する別の環状鍔部１１’を設けた回転シャフトの取付構造としたものである。
【０００５】
【実施例】
本発明の実施例を図により説明すると、１は回転シャフトであり、好適には金属棒で形成される。２は不動の金属プレートであり、シャフト１が挿通される軸孔３が設けられる。シャフト１には金属プレート２の表面に当接するフランジ４が一体又は別体で形成される。シャフト１の前端には回転部材５が固定される。
【０００６】
前記シャフト１の後方軸部６は、前記金属プレート２より後方に比較的長く突出させ、その後端には抑え部材７を取付ける。抑え部材７はシャフト１に比較的堅牢に取付けることができればよく、その取付手段は任意であるが、本実施例では、後方軸部６の段部８とカシメ部９との間で挟持させている。抑え部材７には２種類のものを使用できる。１つ目は多少大きめのワッシャーである。これは、図１のワッシャーＥと同じ性格のものとなる。２つ目は、レバーやハンドルのような操作部材である。シャフト１にレバーやハンドルを取付ける必要があるときは、これらをワッシャーの代わりに抑え部材７として用いることができる。
【０００７】
１０は前記後方軸部６の外周に軸装した弾性支持体であり、前記金属プレート２と前記抑え部材７との間に弾力的に圧縮された状態で配置される。圧縮配置された弾性支持体１０は、シャフト１の後端部が半径方向へ動くのを弾力的に規制して、シャフト１全体のガタ付きを抑制する。弾性支持体１０は比較的堅い樹脂（例えば、ハイトレル６３４７−Ｌ０１又は７２４７−Ｌ０１のpolyester elastomer）で形成される。
【０００８】
前記弾性支持体１０は、好適には、半径方向にスカート状に広がって金属プレート２の裏面に弾力的に当接する環状鍔部１１を形成する。また、環状鍔部１１の弾着力を増加させるため、前記抑え部材７と環状鍔部１１との間にバネ１２を設けることも可能である。
【０００９】
また、前記回転シャフト１の軸方向のガタ付きを防止するために、図３のように、前記弾性支持体１０の中心部に、前記金属プレート２と前記抑え部材７との間隔を一定に保つスペーサー部１３を形成することも可能である。この場合、環状鍔部１１はスペーサー部１３の外周部に形成する。
【００１０】
また、図４のように、弾性支持体１０に前記抑え部材７に弾力的に当接する別の環状鍔部１１’を設けてもよい。
【００１１】
【作用】
本発明は、以上の構成であり、回転シャフト１の後方軸部６を金属プレート２の軸孔３に挿入して、後方に突出させた後方軸部６の外周に弾性支持体１０を軸装し、後方軸部６の後端に抑え部材７を取付けてから後方軸部６の後端をつぶしてカシメ部９を形成すれば、シャフト１の取付は完了する。
【００１２】
このようにして組付けられた回転シャフト１は、回転シャフト１を支持する不動部材が金属プレート２の１つのみであっても、弾性支持体１０が金属プレート２に対して効果的に踏ん張ってシャフト１の後方軸部６が半径方向に動くのを規制するため、シャフト１の半径方向のガタ付きは良く抑制される。
【００１３】
また、図３のように弾性支持部１０にスペーサー部１３を形成してあるときは、金属プレート２と抑え部材７との間隔は一定に保たれるから、シャフト１の軸方向のガタ付きも良く防止される。
【００１４】
【発明の効果】
以上のように、本発明は、軸孔３を備えた不動の薄い金属プレート２と、前記金属プレート２の軸孔３に回転自在に挿入されて前記金属プレート２の裏面側に突出する後方軸部６を備えた回転シャフト１と、前記回転シャフト１に設けられ前記後方軸部６を前記軸孔３に挿入すると前記金属プレート２の表面に当接するフランジ４と、前記金属プレート２に対して不動ではなく前記後方軸部６の後端に前記後方軸部６に対して軸方向不動となるように堅牢に取付けられる抑え部材７と、前記後方軸部６の外周に軸装され前記抑え部材７の表面と前記金属プレート２の裏面との間で圧縮配置される弾性支持体１０とからなり、前記弾性支持体１０には外側にスカート状に広がって前記金属プレート２の前記裏面に弾力的に当接する環状鍔部１１を設け、前記抑え部材７と前記環状鍔部１１との間には前記環状鍔部１１を前記金属プレート２の前記裏面に弾着させるバネ１２を設けた回転シャフトの取付構造としたため、回転シャフト１を支持する不動部材が金属プレート２の１つのみであっても、弾性支持体１０が金属プレート２に対して効果的に踏ん張ってシャフト１の後方軸部６が半径方向に動くのを規制でき、シャフト１の半径方向のガタ付きは良く抑制される。簡単な構成で弾性支持体１０の弾着力を増強させることができ、シャフト１の半径方向のガタ付きは更に抑制される。
また、本発明は、軸孔３を備えた不動の薄い金属プレート２と、前記金属プレート２の軸孔３に回転自在に挿入されて前記金属プレート２の裏面側に突出する後方軸部６を備えた回転シャフト１と、前記回転シャフト１に設けられ前記後方軸部６を前記軸孔３に挿入すると前記金属プレート２の表面に当接するフランジ４と、前記金属プレート２に対して不動ではなく前記後方軸部６の後端に前記後方軸部６に対して軸方向不動となるように堅牢に取付けられる抑え部材７と、前記後方軸部６の外周に軸装され前記抑え部材７の表面と前記金属プレート２の裏面との間で圧縮配置される弾性支持体１０とからなり、前記弾性支持体１０には外側にスカート状に広がって前記金属プレート２の前記裏面に弾力的に当接する環状鍔部１１および外側にスカート状に広がって前記抑え部材７の前記表面に弾力的に当接する別の環状鍔部１１’を設けた回転シャフトの取付構造としたため、バネ１２を用いることなく弾性支持体１０の弾着力を増強させることができる。
【図面の簡単な説明】
【図１】  公知例図。
【図２】  本発明の第１実施例図。
【図３】  本発明の第２実施例図。
【図４】  本発明の第３実施例図。
【符号の説明】
１…回転シャフト、２…金属プレート、３…軸孔、４…フランジ、５…回転部材、６…後方軸部、７…抑え部材、８…段部、９…カシメ部、１０…弾性支持体、１１、１１’…環状鍔部、１２…バネ、１３…スペーサー部。
【図１】
0003963297.tif 000002
【図２】
0003963297.tif 000003
【図３】
0003963297.tif 000004
【図４】
0003963297.tif 000005